Podtech/llm-jp-corpus-v4-ja_patent huggingface dataset:
(57)【要約】【課題】ステレオ再生において、左右のスピーカーから発生する音の位相を正確に一致しようとすれば、概して定位が決まり音像がよりモザイク的な意味で微細なものとなるが、音像が面一に表面的にスピーカーの前面に張り付いた薄い音質のものとして定位し、自然に感ずる音としては十分ではない。【解決手段】スピーカー箱の前面パネル部に上下方向に傾斜を設け、その同じ傾斜方向に直列並びに同一周波数再生帯域特性を有する複数のスピーカーを配置し、駆動するために備えることで再生音に奥行感と音質の厚みをもたらし、飽きのこない音にするものである。【選択図】図１
2019036931.tif 000002
【特許請求の範囲】
【請求項１】
スピーカー箱において、その前面パネル部に上下方向に傾斜を設け、その同じ傾斜方向に同一周波数再生帯域を有する複数のスピーカーを上下方向に直列並びに取り付け、駆動するために備えることを特徴とするスピーカーシステム。
【発明の詳細な説明】
【技術分野】
【０００１】本発明はスピーカーシステムに関するものである。
【背景技術】
【０００２】従来、スピーカーシステムは再生にあたり２ｗａｙや３ｗａｙなど周波数帯域を分割するために、分割点で互いの位相を合わせることが高忠実度を保つために求められ、またステレオ再生では左／右のスピーカーからの位相の一致がより正確に求められている。
【先行技術文献】
【０００３】
【特許文献】
【特許文献】特開−２００８−１８２６５６
【発明の概要】
【発明が解決しようとする課題】
【０００４】従来、ステレオ再生においてスピーカーシステムは左／右の音源の位相がより正確に一致することが求められている。これは音像定位がより明瞭になるためである。これには次のような問題がある。（イ）表面的な音像がより正確な定位として浮かび上がり、奥行き感が失われ、音感として平面的な浅い音像となってしまう。（ロ）左／右のスピーカー音源の位相が一致に近づく程、いわゆるモザイク的に微細な音が平面的に再現されるが、それにつれて奥行感が失われてゆき、いわゆる高忠実度な再生となり、音場雰囲気が少なくなる。又、従来、音場感を増加するためにスピーカーを追加し時間遅れや壁などの反響の作用利用しているが、本発明は以上の欠点を克服するために位相推移によって音場定位に関して、奥行感と音質の厚みを増し加えるためになされるものである。
【課題を解決するための手段】
【０００５】スピーカー箱において、その前面パネル部に上下方向に傾斜を設け、その同じ傾斜方向に同じ周波数再生帯域を有する複数のスピーカーを同時に駆動するために備える。本発明は以上の構成よりなるスピーカーシステムである。
【発明の効果】
【０００６】（イ）前面パネル部に上下方向に傾斜を設け、その傾斜面に直列並びに複数のスピーカーを取り付けることにより、発生音の位相推移が略直線的に変化し、違和感がなく自然な奥行感が得られる。（ロ）同一周波数再生帯域を駆動する複数のスピーカー（例えばフルレンジスピーカー）を前記傾斜面に沿って上下方向に直列並びに設けるので、奥行き方向に音源として長い距離が得られるので位相の漸進的な変化によって自然な奥行感が得られる。（ハ）定電流駆動により定電流を流すことにより、異種類のコーン部材を同一周波数再生帯域に用いた複数のスピーカーを駆動することで、高速応答伝達振動板と高損失伝達振動板の特性の混合した位相推移が得られ、奥行感と厚みのある音質感が適切に選べる。（ニ）左右のスピーカーからの音像が表面的、平面的に定位するのではなく、音に厚みがあり奥行感が生ずる。
【図面の簡単な説明】
【０００７】
【図１】  本発明のスピーカー箱の斜傾図である。
【図２】  本発明のスピーカーシステムの動作原理図である。
【図３】  本発明のスピーカー箱の説明のための側面図である。
【発明を実施するための形態】
【０００８】以下、本発明を実施するための形態について説明する。図１は本発明によるスピーカー箱（４）の斜傾図を示す。前面パネル（３）は傾斜しており、そこに同じ周波数再生帯域特性を持つスピーカー（１）とスピーカー（２）を当該斜傾面に上下方向に直列並びに取り付ける。前記スピーカー（１）とスピーカー（２）は同時に同一周波数再生帯域において駆動するためのものである。図２は前記スピーカー箱（４）を左右ステレオ再生する位置に配置する場合の音像定位の奥行、深さの動作原理を示している。左右に配置されるスピーカ（５）とスピーカー（６）により音像（１０）が定位する。一方、スピーカー（７）とスピーカー（８）によって音像（１１）が定位する。同時にスピーカー（５）とスピーカー（８）とにより音像（１２）が定位し、スピーカー（６）とスピーカー（７）とにより音像（１２）が定位する。ここで図１での傾斜している左右のスピーカー箱にある前面パネル（３）に、図２に示す左側スピーカー（５）とスピーカー（６）、右側スピーカー（７）とスピーカー（８）を各々左右に設置するのでこれによる音像は奥行き方向に音像（１０）、音像（１２）、音像（１１）と略直線的に定位する。これにより奥行感と音の厚み感が得られる。音像は奥行き方向に広がり、左右方向（横幅方向）での解像度である微細表現はスピーカーの横幅が変わらないので損なわれることはない。また、スピーカー（５）とスピーカー（６）のペア―と、スピーカー（７）とスピーカー（８）のペア―についてはコーン部材が異質の物であっても各ペア―となっているスピーカーのコーンが同質なので奥行感の伴った音像定位や音場感は保持される。一方、高速伝達部材であるアルミニウムコーンなどと、高損失伝達部材であるベクストロンコーンなどのスピーカーを併用すると両者の特性の混合した適切な音質の奥行き感のある再生が得られる。図３はモノーラル再生に本発明によるスピーカーシステムを使用する場合の側面図を示す。スピーカー（１３）とスピーカー（１４）は前面傾斜パネル（１８）上下方向に直列並びに取り付けており聞く位置（１７）から見て音像（１６）が奥行幅方向に定位する。これは前記スピーカー（１３）とスピーカー（１４）により合成された音像である。このように奥行感と音の厚みを伴ってより自然に感ずる音像が現れる。
【符号の説明】
【０００９】      １    スピーカー
２    スピーカー
３    前面パネル
４    スピーカー箱
2019036931.tif 000003
１５    スピーカー箱
１６    音像
【図１】
2019036931.tif 000004
【図２】
2019036931.tif 000005
【図３】
2019036931.tif 000006
(57)【要約】      （修正有）【課題】ワンコイン宝クジである登録制宝クジを提供する。【解決手段】主催者が示す雛形に従って、自前の抽選番号に自撮り写メを添え、登録料と伴に、登録サイトに応募させる構図を引く。各自作成のオリジナル抽選番号は、暗証番号に使用頻度が高かった誕生日の４桁に、所有のカード類から抽出した続きの４桁を加えた８桁とし、重複が出た場合の対策に、自撮り写メの添付を義務づける。即ち、本人認証システムを駆使した、抽選及びポイント付与を付与する。【選択図】図１
2019036084.tif 000002
【特許請求の範囲】
【請求項１】
本発明に係るワンコイン宝くじ
【請求項２】
本発明に係るホームラン・リクエスト
【発明の詳細な説明】
【技術分野】
【０００１】
本発明ワンコイン宝クジの別名は登録制宝クジ。
主催者が示す雛形に従って、自前の抽選番号に自撮り写メを添え、登録料と伴に、登録サイトに応募させる構図を引く。
各自作成のオリジナル抽選番号は、暗証番号に使用頻度が高かった誕生日の４桁に、所有のカード類から抽出した続きの４桁を加えた８桁とし、重複が出た場合の対策に、自撮り写メの添付を義務づける。即ち、本人認証システムを駆使した、抽選及びポイント付与プログラムに関する発明である。
【背景技術】
【０００２】
運賃のカード精算システムやクレジットカード等に導入されている、非接触型ICカードの多目的活用に端を発し、これに近年著しい進化を遂げている、本人認証システムを加えて、近未来的に実現必至の電子投開票システムの向上に、拍車を掛けるプログラムの開発を旨とする。
即ち、登録された自撮り写メから相当数の当選者を抽出するロジックは、自動集計システムに従った当選者の抽出と同義であり、集中型の抽選イベントは、即日開票の効率化と対を成す。これを以って、迅速性・正確性が信条の電子投開票システム向上に、寄与させたい。
【発明の概要】
【発明が解決しようとする課題】
【０００３】
地方財源の確保を目的とし販売される宝クジには、当選金の最高額を額面の５０倍までとする規制が敷かれている。この他、当選金付き証票法いわゆる宝クジ法には、総務大臣が指定するものに限り、最高当選額を額面の５００倍まで引き上げられる、規制緩和が定められている。因みに、年末ジャンボ宝くじが、これに該当する。
そして、総務省への届け出から、現物クジの販売・抽選会の開催、更には当選告知・当せん金の配布まで、一連のノウハウをシステム化し提供することで、その上前を利益としているのが、みずほ銀行宝くじ部なのである。
高額の販売手数料を以って、政令指定都市優遇の状況が作り出されているなかで、本件は、いわゆる市町村民の手造り宝クジを標榜した、実施経費０円を目指す宝クジなのである。
みずほ銀行が一環して請け負っているサービス内容を、すべて抽選及びポイント付与プログラムに代行させることで、大幅な経費節減が実現出来る。
財政難に苦しむ地方自治体にとって、まさにオアシスのような存在を支えられるのが、参加者が自前で組めるオラが８桁（誕生日の４桁＋α）なのである。自前で味わえる運試し。本件は占い好きの日本人の心をくすぐるイベントなのである。
【課題を解決する為の手段】
【０００４】
実施経費０円を目指す宝クジの実現に、特例法（宝クジ法）の恩恵は必要ない。景品表示法の規定範囲で充分に目的は達成される。
景品表示法に則った当選金の上限を１万円と定め、登録料を割り出せば、ワンコイン即ち５００円が最も妥当な額面で、当選金を既存のポイント乃至電子マネーに換算すれば、それらの普及に拠る経済効果を引き出せる。取り扱い企業と連携できるスポンサー土壌が、既に備わっているのである。
更に、本件の当選金には受け皿となるカードが必需品である。登録番号８桁の半分を、スポンサー企業のカードからの抽出を条件とすれば、登録及び、当選ポイント乃至電子マネーをプールする為に必要なカード需要は、必然的に増加の一途を辿る。本件の運営にスポンサーは、自然発生的に付いて来る存在なのである。
主催自治体・スポンサー・宝クジを愛好するユーザー間の、Winウィン状態を実現する為に、無くてはならない存在こそが、抽選及びポイント付与機能を備えたプログラムなのである。
【発明の効果】
【０００５】
ある種のバーチャル・ナンバーレス宝クジの本件だからこそ出来る離れ技に、当該ポイント付与プログラムを応用する。
名付けてホームラン・リクエスト。
まずは登録者リストから・・・。
Yの縦軸は１番から９番までの打順の数字。
Xの横軸は第１打席から第５打席までの打席数。
XとY軸で区切られる空間に設ける４５升を、上段と下段に分ける。
登録者が、その打席のホームランを予測して登録できるのが上段。
下段は、ソロからグランドスラムまでのホームラン種別の選択肢。
その打席のホームラン・リクエストが的中すれば、登録者はその打席に掛かるポイントをゲットする。
更に、ホームラン種別が的中した場合は、当該ゲットポイントを、
２ランホームランから×２・×３・×４と段階的にアップさせる。
４５升の登録枠は１枠５００円で販売し賞金に備えるものとする。
我が国プロ野球における、ホームラン出現率は、昨年のパリーグ実績に基づくと、３試合で２本の割と導ける。これを、ホームラン打席を含む集合体に当たる、回数（イニング）換算すると、２７イニングスに２本の割合となり、１イニングの平均ホームラン数（２／２７＝０．０７本）から、１イニングのホームラン確率７％が算出される。
そのホームランイニングの消化打席数を５打席と見れば、ホームラン打席に当て嵌まる確率は１／５。これに１イニングのホームラン確率２／２７を乗じた値が、ホームラン予想が的中する確率２／１３５となり、５千人が参加した場合の当選者数が（５千人×２／１３５＝）７５人程度と割り出せる。
その中の１／４が、ホームラン種別まで的中させた当選者１９人。
従って、賞金の平均を１０、０００ポイントに設定すれば、支出額は７５万円となり、５千人分の売上げ２５０万円に占める、賞金等の経費率を半分に見積もっても、試合ごとに１２５万円の純利が生まれる。
１試合のホームラン・リクエスト者数を、従前の５千人と見積もった場合の年間の純利益は、１２５万円×１４４試合で１億８千万円に上る。収益の一部をフランチャイズ球団の選手育成基金に充てることで、球団サポートを明言すれば、ファン心理は高揚し、更に、売り上げが伸びるものと確信する。
【図面の簡単な説明】
【０００６】
【図１】ワンコイン宝クジのシステム
【図２】ホームランリクエストの登録者リスト
【図１】
2019036084.tif 000003
【図２】
2019036084.tif 000004
(57)【要約】【課題】人感センサは近づくだけで反応してしまうため、通行人にも反応してしまい帰宅者との識別が困難であり無駄に照明を点灯してしまう。【解決手段】接触センサと、照明と、前記接触センサと前記照明の間に設けられる制御を有し、前記接触センサは屋外、前記照明は屋内に位置し、前記制御は前記接触センサへの接触により、前記照明を点灯する。【選択図】図１
2019036508.tif 000002
【特許請求の範囲】
【請求項１】
接触センサと、照明と、前記接触センサと前記照明の間に設けられる制御を有し、
前記接触センサは屋外、前記照明は屋内に位置し、前記制御は前記接触センサへの接触により、前記照明を点灯する照明システム。
【請求項２】
ドアと、前記ドアに設けられるドア開閉センサと、照明と、前記ドア開閉センサと前記照明の間に設けられる制御を有し、
前記ドア開閉センサは屋外、前記照明は屋内に位置し、前記制御は前記ドア開閉センサにより、前記照明を点灯する照明システム
【請求項３】
請求項１又は請求項2に記載の照明システムにおいて、
前記制御により点灯した前記照明が一定時間後に消灯する機能を有した照明システム
【請求項４】
請求項２に記載の照明システムにおいて、
前記ドアがロックされているときは前記照明が点灯しない機能を有した照明システム
【発明の詳細な説明】
【技術分野】
【０００１】
本発明は照明システムに関する。
【背景技術】
【０００２】
夜間の帰宅時にドアを開け、玄関内の照明を点灯させる際、玄関内が暗く照明スイッチが視認しづらいといった課題がある。解決のため人が近づくと点灯する照明システムがある。たとえば人体検知センサを用いる物が知られている。（特許文献1）
【先行技術文献】
【特許文献】
【０００３】
【特許文献１】特開２００３−１７８３７７号公報
【発明の概要】
【発明が解決しようとする課題】
【０００４】
人体検知センサは近づくだけで反応してしまう。そのため、帰宅者だけでなく通行人にも反応してしまい帰宅者との識別が困難であり無駄に照明を点灯してしまう恐れがある。
【課題を解決するための手段】
【０００５】
本発明は、接触センサと、照明と、前記接触センサと前記照明の間に設けられる制御を有し、前記接触センサは屋外、前記照明は屋内に位置し、前記制御は前記接触センサへの接触により、前記照明を点灯する。
【発明の効果】
【０００６】
本発明によれば、玄関前の通行人と帰宅者の識別が可能となり、照明を無駄に点灯してしまう恐れのない照明システムを提供できる。
【図面の簡単な説明】
【０００７】
【図１】本実施形態の照明システムを示す概略図である。
【発明を実施するための形態】
【０００８】
以下、本発明を実施するための形態（以下「実施形態」という）について、適宜図面を参照しながら詳細に説明する。
【０００９】
図１は、本実施形態の照明システムを示す概略図である。
【００１０】
照明システム1は接触センサ2と制御3と照明4を有する。
【００１１】
本実施例では、接触センサ2は屋外に設けられている。接触センサ２は、例えば、ドア（図示無）やドアノブ（図示無）に設けられている。
【００１２】
制御3および照明4は屋内に設けられている。
【００１３】
帰宅者が帰宅時に屋外のドアやドアノブに設けられた接触センサ2に触れることで、制御3により屋内の照明4が点灯する。接触センサ２なので人体検知センサとは異なり、通行人には反応せず、無駄に点灯しない照明が提供できる。屋外に接触センサ２を設けることで通行人と帰宅者との識別を可能することが可能となる。
【００１４】
なお、接触センサ２としたがこの限りでなく、ドア開閉センサや鍵穴，インターホンに設けるセンサでもよい。
【００１５】
なお、制御3により点灯した照明4は一定時間で消灯する機能を設けてもよい。
【００１６】
なお、制御3は、ドアがロックされているときは照明4が点灯しない機能を有してもよい。
【符号の説明】
【００１７】
１      照明システム
２      接触センサ
３      制御
４      照明
【図１】
2019036508.tif 000003
(57)【要約】【課題】  各車両が２つの自在輪および２つの固定輪を持つロールパレットにおいて、２台を密着連結しても、移動のとき、曲がることができるロールパレット。【解決手段】  固定輪側に連結器を設け、他車の固定輪側と密着連結できるようにする。【選択図】図１
2019131156.tif 000002
【特許請求の範囲】
【請求項１】
２つの自在輪および２つの固定輪を持つロールパレットにおいて、固定輪側に連結器を設け、他車の固定輪側と密着連結できるようにしたロールパレット。
【発明の詳細な説明】
【技術分野】
【０００１】  本発明はロールパレットのうち、２つの自在輪（キャスタ）および２つの固定輪を底面の４つの隅に１つずつ持つロールパレットの連結に関する。
【発明の概要】
【発明が解決しようとする課題】
【０００２】  各車両が２つの自在輪および２つの固定輪を持つロールパレット２台を連結するとき、従来は前車の固定輪に後車の自在輪を向き合わせ、移動の時、曲がれるようにするため、前車と後車との間を空けて連結した。密着連結すると曲がることができないからである。本発明は密着連結しても曲がることができるロールパレットを得ることが目的である。
【課題を解決するための手段】
【０００３】  固定輪側に連結器５を設け、他車の固定輪側と密着連結できるようにする（図１、図２Ａ）。連結器を操作することにより、連結を解除することもできる（図２Ｂ）。【０００４】  ２台を図１のように連結し、前車の自在輪のある端を車体長軸方向と直角の方向に押すと、同車は旋回内側の固定輪を中心として旋回を始める。この時、後車の固定輪が横滑りすることになり、前車の旋回を阻止する抵抗力となるが、前車固定輪と後車固定輪との距離Ｄよりも前車の自在輪―固定輪間の距離Ｌの方が遥かに大きいので、前車の旋回力（回転モーメント）は後車の抵抗力（回転モーメント）よりも大きいものとなり、後車の固定輪は前車の旋回を阻止することができず、後車は前車につられて旋回する。
【発明を実施するための形態】
【０００５】  前車の固定輪のある端と後車の固定輪のある端とを向き合わせ、連結する（図１）。連結器の例を図２に示す。Ａは連結した時、Ｂは連結を解除した時である。
【発明の効果】
【０００６】  本発明を用いれば、２台連結しても従来のようには全長が長くならず、扱いやすい。また、密着連結なので、連結器は小型のもので済み、操作が簡単である。
【図面の簡単な説明】
【図１】本発明実施例の底面図。
【図２】本発明実施例の連結器付近の側面図。
【符号の説明】      １  前車
２  後車
３  自在輪
４  固定輪
５  連結器
【図１】
2019131156.tif 000003
【図２】
2019131156.tif 000004
(57)【要約】【課題】リモコンを介すことなく、手元のスイッチの操作だけで点灯直後から自動的に所望の点灯環境で点灯させることを可能とした照明器具を提供する。【解決手段】  光源と、前記光源を点灯させる点灯回路と、前記点灯回路の電源をON/OFFする間隔及び回数を検知し記録する記録装置を有し、予め登録された前記電源をON/OFFする間隔及び回数で前記点灯回路に電源が投入されたときに、前記記録装置に前記光源を予め登録された明るさもしくは光源色等で点灯させる。【選択図】  図1
2019046725.tif 000002
【特許請求の範囲】
【請求項１】
光源と、前記光源を点灯させる点灯回路と、前記点灯回路の電源をON/OFFする間隔及び回数を検知し記録する記録装置を有し、予め登録された前記電源をON/OFFする間隔及び回数で前記点灯回路に電源が投入されたときに、前記記録装置に前記光源を予め登録された明るさもしくは光源色等で点灯させることを特徴とする照明器具。
【請求項２】
前記点灯回路の入力側にはスイッチが、前記照明器具の内部もしくは外部に接続されており、前記スイッチで前記点灯回路の電源をON/OFFさせることを特徴とする請求項1に記載の照明器具。
【請求項３】
前記光源がLEDであることを特徴とする請求項1又は2記載の照明器具。
【発明の詳細な説明】
【技術分野】
【０００１】
本発明は照明器具に関するものである。
【背景技術】
【０００２】
従来より蛍光ランプをはじめとする照明器具はランプの点灯／消灯を切替る方法として、主電源と照明器具の間に電源をON/OFFさせる切替スイッチを設けており、代表的には照明器具内に設置されている紐スイッチや、照明器具の外部に設けられて壁スイッチ等が挙げられるが、近年はこれらの機械的な電源のON/OFFの他にリモコン等の電子制御によるON/OFFの切替が普及しつつある。
【０００３】
また光源としてLEDが使用されるようになり、照明器具の制御には明るさや光源色の切替も可能になり、その切替は主にリモコンの操作で行うのが一般的になっている。
【０００４】
これら光源の多様化により、好みの点灯環境(明るさ・光源色)を自由に選べるようになり、従来はその切替をリモコンの操作で行っていた。
【先行技術文献】
【特許文献】
【０００５】
【特許文献１】特開平04-269491号公報
【発明の概要】
【発明が解決しようとする課題】
【０００６】
リモコン操作で様々な設定の切替が出来るようになったものの、未だにランプの点灯/消灯は壁スイッチ等のON/OFFで行うことが多い。従来は壁スイッチで点灯させた時、自動的に消灯前の点灯環境で復帰させることは出来たが、別の点灯環境に切替る際は、点灯後リモコン操作で切替えなければならなかった。
【０００７】
本発明が解決しようとする課題は、リモコンを介すことなく、手元のスイッチの操作だけで点灯直後から自動的に所望の点灯環境で点灯させることを可能とした照明器具を提供することである。
【課題を解決するための手段】
【０００８】
光源と、前記光源を点灯させる点灯回路と、前記点灯回路の電源をON/OFFする間隔及び回数を検知し記録する記録装置を有し、予め登録された前記電源をON/OFFする間隔及び回数で前記点灯回路に電源が投入されたときに、前記記録装置に前記光源を予め登録された明るさもしくは光源色等で点灯させる。
【発明の効果】
【０００９】
本発明により、リモコンを介すことなく、手元のスイッチの操作だけで点灯直後から自動的に所望の点灯環境で点灯させることができる。
【図面の簡単な説明】
【００１０】
【図１】本実施例の構成図例
【図２】第一の実施例を説明するON/OFFパターン例
【発明を実施するための形態】
【００１１】
以下、本発明の実施例を上記した図に従って説明する。
【実施例１】
【００１２】
図１は本実施例の構成図例を示す図である。図１において、１は照明器具に電力を供給する主電源、２はON/OFFスイッチ、3は照明器具を示す。ON/OFFスイッチ２は主電源１と照明器具３との間に設けられ、照明器具３への電力供給のON/OFFを制御する。本実施例ではON/OFFスイッチ２は照明器具３の外部に設けられ、照明器具３が設置されている室内の壁に設置されている。照明器具３はLED光源４、LED光源４を点灯させる点灯回路５、赤外線受信機６が構成され、更に点灯回路５は制御回路７、記録装置８が構成され、リモコン９からの信号を赤外線受信機６を通じて受信し、LED光源４の点灯を制御している。
【００１３】
またLED光源４は複数の光源色のLEDをちりばめて配置されており、複数の光源色のLEDの点灯の組み合わせを変えること及び、印加電流を変えることにより明るさやLED光源４全体の光源色の変更などの点灯環境を自由に調整することができる。
【００１４】
ここで、従来の技術では、これらの点灯環境の変更はリモコン９を用いて自由に変えることが出来たが、電源のON/OFFは室内の壁に設置されたON/OFFスイッチ２(以降壁スイッチとする)で行う機会が多いことから、入室して照明を点灯させる際に、最初から所望の点灯環境で点灯させたい場合、一度壁スイッチで点灯させた後、更にリモコン９で点灯環境を変更する必要があり、２回の操作が必要になる。
【００１５】
本発明において、記録装置8には予め照明器具3に入力されるON/OFFの間隔・回数のパターンとそのパターン毎に明るさや光源色などの点灯環境を登録させることができる。ON/OFFのパターン例としては図２に示すようなものがある。パターン１は、１秒以内に連続して2回ON/OFFを繰り返すものである。パターン２は、１秒以内に連続して3回ON/OFFを繰り返すものである。パターン３は、2秒以内に間隔を空けて3回ON/OFFを繰り返すものである。これにより、例えばパターン１のように1秒以内に連続して2回ON/OFFを繰り返して点灯させた場合、あらかじめ登録させておいた設定１の点灯環境で点灯。パターン3のように2秒以内に間隔を空けて3回ON/OFFを繰り返して点灯させた場合、あらかじめ登録させておいた設定３の点灯環境で点灯させる等、リモコンを使用しなくても、1回の操作で所望の点灯環境で点灯させることが可能となる。
【００１６】
なお、本実施例では光源にLED光源を用いたが、光源に蛍光ランプや有機EL等も応用させることができる。
【符号の説明】
【００１７】
１  主電源
２  ON/OFFスイッチ
３  照明器具
４  LED光源
５  点灯回路
６  赤外線受信器  
７  制御回路
８  記録装置
９  リモコン
【図１】
2019046725.tif 000003
【図２】
2019046725.tif 000004
(57)【要約】      （修正有）【課題】おもりを地震のゆれによりブレ−カのスイッチを押し下げて電源を遮断する装置を、家庭で一般人がとりつけるのを容易にする。【解決手段】おもりを取り付けた棒をブレ−カに差し込み固定して揺れが発生した際に電源を遮断する電源遮断具である。遮断具をブレ−カの突起部にはずれぬよう差し込み固定できればよい。その際にねじで固定してもよい。【選択図】図１
2019046774.tif 000002
【特許請求の範囲】
【請求項１】
一端におもりを付け棒を付け他方をブレ−カのスイッチに固定した振り子式ブレ−カ感震器
【発明の詳細な説明】
【発明の詳細な説明】
この発明は、家庭用ブレ−カの感震器に関するものである。地震により倒壊した家屋から電源が復きゅうした後家屋から電源火災が発生し２次被害におよんでいる。現在おもりを紐につけて電源を遮断する器具があるが、おもりを載せる台をとりつけるため、家庭で一般人が器具をとりつけるのは容易でない。本発明はブレ−カ−の突起部分に差し込みまた、挟み込み外れないように固定し地震の揺れによりおもりが揺れ動くことによりブレ−カの電源を遮断する。
【図面の簡単な説明】
【図１】
【本発明の面図である。】
【符号の説明】１はおもり  ２は棒  ３はスイッチ  ４はブレ−カ
【図１】
2019046774.tif 000003
(57)【要約】      （修正有）【課題】顧客の多機能携帯端末をカラオケ装置等のリモコンとして動作するコンテンツ再生システムにおいて、前記多機能携帯端末で視聴している動画を、カラオケの大画面で視聴する。【解決手段】コンテンツ再生システムは、インターネットに接続されているコンテンツ再生装置と、当該コンテンツ再生装置のリモコンとして動作する多機能携帯端と、を含み、当該多機能携帯端末で閲覧中のＷｅｂ動画のＵＲＬを、当該コンテンツ再生装置に転送する。【選択図】図１
2019109649.tif 000002
【特許請求の範囲】
【請求項１】
インターネットに接続されているコンテンツ再生装置であって、
多機能携帯端末を当該コンテンツ再生装置のリモコンとして動作するコンテンツ再生システムにおいて、
当該多機能携帯端末で閲覧中のＷｅｂ動画のＵＲＬを、当該コンテンツ再生装置に転送することにより、
前記視聴中の動画を、当該コンテンツ再生装置で再生することを特徴とするコンテンツ再生システム。
【請求項２】
前記請求項１において、前記コンテンツ再生装置はカラオケ装置であることを特徴とするコンテンツ再生システム。
【発明の詳細な説明】
【技術分野】
【０００１】
本発明は、ネットワークコンテンツの再生をおこなう技術に関する。
【背景技術】
【０００２】
近年、ＹｏｕＴｕｂｅ（登録商標）等コンテンツが充実してきたことにより、インターネット上コンテンツを視聴する利用者が増えてきている。
これらコンテンツの視聴は、ＰＣによる視聴よりもスマートフォン等モバイル機器により視聴するケースが一般的であり、大画面・大音量で楽しむよりもひとりでパーソナルな環境で楽しむ人が増えていることによるものである。
【０００３】
上記のようなパーソナルな環境で楽しんでいたネットワークコンテンツも、時には大勢で大画面の環境で楽しみたいこともある。
【０００４】
そのようなニーズにこたえる一つの解として、カラオケ店の環境がある。
カラオケ店の環境は、大画面や音響設備もあり大音量で楽しんでも防音設備もあるため周囲の迷惑にはならない。
【０００５】
そのようなニーズに答えるべく、下記のような出願がある。
【先行技術文献】
【特許文献】
【０００６】
【特許文献１】特開2004-310124号公報
【発明の概要】
【発明が解決しようとする課題】
【０００７】
特許文献１は、近年、携帯電話に代表される携帯通信端末で楽曲や動画が再生可能となっているが、一方で携帯性がますます重視されているため、カラオケ楽曲のように大勢で楽しみたいデジタルコンテンツの再生には不都合が生じる。また、デジタル技術の進歩にともない、デジタルテレビ等の家電製品はネットワークへの接続機能が搭載されているが、それらの電子機器をネットワークへ接続するにはネットワークケーブルを引いたり設定を行うなど、時間や費用がかかってしまう。
そこで本発明では、コンテンツサービスプロバイダへの通信機能を有する携帯通信端末から、コンテンツ再生機能を備えるがコンテンツサービスプロバイダへの通信機能を有しないコンテンツ利用装置に対してコンテンツを転送することで、コンテンツ利用装置で、コンテンツをネットワークから取得し再生することを可能とした。
【０００８】
特許文献１では、携帯通信端末で視聴しているコンテンツを転送してコンテンツ再生するというもので、前記の課題解決を直接的に行うとしているが、この方式の拠るとサーバと携帯通信端末間および携帯通信端末とコンテンツ利用装置の二段階でダウンロードが行われるため、再生において遅延が発生することが予想される。
【０００９】
加えて、小さな画面の携帯通信端末でダウンロードした映像は大画面のコンテンツ利用装置に最適化されていないため、再生する画像の縦横比が不一致となり現実と異なる画像となる等の現象が予想される。
【課題を解決するための手段】
【００１０】
上記の課題を解決するため、本発明の請求項１は、
インターネットに接続されているコンテンツ再生装置であって、
多機能携帯端末を当該コンテンツ再生装置のリモコンとして動作するコンテンツ再生システムにおいて、
当該多機能携帯端末で閲覧中のＷｅｂ動画のＵＲＬを、当該コンテンツ再生装置に転送することにより、
前記視聴中の動画を、当該コンテンツ再生装置で再生することを特徴とするコンテンツ再生システムである。
【００１１】
また、本発明の請求項２は、
前記請求項１において、前記コンテンツ再生装置はカラオケ装置であることを特徴とするコンテンツ再生システムである。
【発明の効果】
【００１２】
これにより、カラオケ等コンテンツ再生装置の利用者は、自分の多機能携帯端末で探した動画を当該コンテンツ再生装置の大きな画面で楽しむことができる。
【図面の簡単な説明】
【００１３】
【図１】本発明の実施例に係るシステム構成図
【発明を実施するための形態】
【００１４】
図１において、多機能携帯電話１は、アクセスポイント６、ＨＵＢ４を経由してカラオケ装置２のリモコンとして使用している。
【００１５】
カラオケ装置２はＨＵＢ４、ルータ５を経由してネットワークに接続されている。
【００１６】
利用者は、多機能携帯端末１で検索して動画７を視聴している。利用者は当該多機能携帯端末１を操作して動画のＵＲＬをカラオケ装置２へ送信する。
【００１７】
ＵＲＬを受け取ったカラオケ装置２は、当該カラオケ装置のブラウジング機能によりＵＲＬをネットにアクセスして、カラオケモニタ３に最適化された動画８を視聴できる。
【符号の説明】
【００１８】
１    多機能携帯端末
２    カラオケ装置
３    カラオケモニタ
４    ＨＵＢ
５    ルータ
６    アクセスポイント
７    視聴動画
８    視聴動画
【図１】
2019109649.tif 000003
(57)【要約】【課題】従来のオークションの下見では、評価を数字化、アルファベット等で表示して下見代行者が依頼者に代わって現物を確認していたが、本人の主観ゃ感覚的な部分があり、どうしても依頼者のイメージと一致しないことが多かった。【解決手段】まず、下見代行者がオークション会場でテレビ電話機能を有する携帯電話、スマホ等の携帯端末機を用いて、依頼者の要望を聞きながら高画質な動画で撮影し、依頼者もパソコン、携帯電話、スマホ等で同時に見れるようにして、より現地に近い状態で見れるようにした。                                                                                                                                                                                                                                                                                                                                                                                                      【選択図】図１
2019109871.tif 000002
【特許請求の範囲】
【請求項１】
オークションにおける動画配信と双方向の通信ができるテレビ電話機能のある携帯電話、スマホ等の端末機を使った下見代行のビジネススタイル
【請求項２】
オークションにおける下見の動画録画と拡大機能を使った画像を配信するビジネススタイル
【請求項３】
オークションにおける下見の双方向の動画配信を用いたビジネスモデル。
【発明の詳細な説明】
【技術分野】
【０００１】
この発明はオークションにおける下見の情報をオンラインで相互に通信が出来るテレビ機能を使って高画質な動画で配信し、現地に行かなくても細部まで詳しく状態が分かるようにした機構に関するものである。
【背景技術】
【０００２】
従来は、下見代行者が現地で依頼書の要望を聞きながら下見して、電話対応、画像の送信で状態を説明していた。
【発明の概要】
【発明が解決しようとする課題】
【０００３】
これは次のような欠点があった。現地で依頼者が直接見る事が出来ないため、下見代行者による第三者の主観や感覚に頼ることになり、細かな部分についてどうしても現物との違いが出ていた。本発明は、以上のような欠点をなくすためになされたものである。
【課題を解決するための手段】
【０００４】
まず、依頼者がオークション会場に下見の申し込みをする。会場の下見代行者が動画撮影機能及び動画データ送信機能を有する携帯電話、スマホ等の携帯端末機を用いて、商品(1)を依頼者の要望を聞きながら、テレビ電話機能を使い、細かい所まで動画で撮影する。依頼者はパソコン(3)携帯電話、スマホ等(4)の画像を見ながら、自分の見たい場所等指摘して動画で確認する。
【発明の効果】
【０００５】
高画質な動画で見ることが出来るようになり、細かく見たい場所はより近くで写す事で従来の下見画面で見るより、現地で実際に見る状態に近づいた。又、画面を見ながら見たい場所を細かく指摘出来、従来の電話だけの説明より画像で細かく分り難い場所を見ることが出来るようになった。そして、音声も同時に送ることで現地にいる様な臨場感も味わえるようになった。
【図面の簡単な説明】
【０００６】
【図１】本発明の平面図である。
【発明を実施するための形態】
【０００７】
以下、本発明を実施するための形態について説明する。オークション会場にて依頼者より申し込みを受けた下見代行者は、携帯電話、スマホ等の端末機(2)を用いて商品(1)を撮影しながら、依頼者の要望を聞いて状況を説明する。依頼者はパソコン(3)スマホ(4)等で見たい場所を指摘して現状を確認する。
【実施例】
【０００８】
現地での状況を自由に見ることが出来るようになり、画像だけでは分り難い場所等も高画質な動画の画像により現地にいる状態により近くなった。又、動画と合わせて音声も送ることでより臨場感も味わえるようになった。従来の下見に比べて、時間と距離移動の無駄がなくなり、より効率的になった。
【産業上の利用可能性】
【０００９】
あらゆるオークションの現場で、現地にいなくても相互に通信できて、高画質な動画と音声でその場にいるような臨場感も味わえるようになり、時間の節約と遠くの移動や距離を気にしなくてもよくなるようになる。従来の下見の問題点がなくなり、より自分自身が現地で直接見る状態に近くなり、専門の下見代行者の説明を受ければ正確な情報を仕入れる事が出来る。
【符号の説明】
【００１０】
１  商品  2  携帯電話、スマホ等  3  パソコン  ４  携帯電話、スマホ等
【図１】
2019109871.tif 000003
【手続補正書】
【提出日】平成30年4月17日(2018.4.17)
【手続補正１】
【補正対象書類名】明細書
【補正対象項目名】０００４
【補正方法】変更
【補正の内容】
【０００４】
まず、依頼者がオークション会場、下見代行会社等に下見の申し込みをする。会場の下見代行者が                                                              
動画撮影機能及び動画データ送信機能を有する携帯電話、スマートフォン等の携帯端末機(2)を用いて、商品(1)                                                         
を依頼者の要望を聞きながら、テレビ電話機能を使い、細かな所まで動画で撮影する。依頼者はパソコン(3)                                                                 
携帯電話、スマートフォン等(4)の画像を見ながら、自分の見たい場所を指摘して動画で確認する。
(57)【要約】【課題】従来、各テーブルで人の手を介さず会計（決済）を行うことの敷居の高さのひとつに、決済方法の複雑さと、各テーブルで人の手を介さずに決済を行われたことが、決済者本人またはテーブルに同席していた人以外の人（たとえば、店長や従業員）にわかりずらい点があげられる。本発明は、この課題を解消するものである。【解決手段】２各テーブルに１決済通知ランプと６決済結果受信サーバ、メニューに各商品の価格をあらわすコードを掲載することで、人の手を介さずに各テーブルにて会計（決済）を行えるようにする仕組み。【選択図】図１
2019109804.tif 000002
【特許請求の範囲】
【請求項１】
１決済結果通知ランプを使用した、テーブル決済を行った際に、決済を行った人以外の人も、決済が行われたことを容易に判別できる仕組み。
【請求項２】
２各テーブルで会計（決済）を行う仕組み。
【請求項３】
３Ｗｅｂ画面に決済結果、決済状況を表示することで、決済を行った人以外の人が、決済が行われたことを容易に識別できる仕組み。
【発明の詳細な説明】
【技術分野】
【０００１】
本発明は、飲食店など個別のテーブルで人の手を介さずに会計（決済）を行う仕組みを提示するものである。
【背景技術】
【０００２】
従来、飲食店などで各テーブルから人の手を介さずに決済を完了できる仕組みはなく、また、決済者本人またはテーブルの同席者以外の人が、決済の完了を容易に判別する仕組みはなかった。
【先行技術文献】
【非特許文献】
【０００３】
【非特許文献１】(非)特許文献ｎ
【発明の概要】
【発明が解決しようとする課題】
【０００４】
従来、各テーブルで人の手を介さず会計（決済）を行うことの敷居の高さのひとつに、決済方法の複雑さと、各テーブルで人の手を介さずに決済を行われたことが、決済者本人またはテーブルに同席していた人以外の人（たとえば、店長や従業員）にわかりずらい点があげられる。本発明は、この課題を解消するものである。
【課題を解決するための手段】
【０００５】
飲食店などのメニューに商品ごとにコードを印刷し、そのコードをスマートフォンで読み込むことで、あらかじめ登録しているクレジットカードにて決済が行われる。
【０００６】
先の手順にて決済が正常に完了した後、６決済結果受信サーバへ決済完了の通知を行う。６決済結果受信サーバと１決済結果通知ランプとはつながっている。
【０００７】
６決済結果受信サーバが決済の完了を受け取った後に、２各テーブルに設置した小型のランプやＬＥＤである１決済結果通知ランプに、決済が完了した旨を表す点燈（緑色に光るなど）を行う。
【０００８】
同じく、６決済結果受信サーバはインターネットを経由して３Ｗｅｂ画面に決済が完了した場所（２各テーブルなど）にて決済が完了したことを表示（４決済確認表示）させ、決済が完了したテーブルを明示する。
【０００９】
３Ｗｅｂ画面にて、決済が完了しているテーブルの４決済確認表示が点燈していることで、３Ｗｅｂ画面でも各テーブルの決済完了状況がわかり、４決済確認表示が点燈（さらに、１決済結果通知ランプが点燈）しているテーブルの、５決済確認ボタンを押すことで、４決済確認表示と１決済結果通知ランプの点燈が消え、決済結果がリセットされ、次の決済に備えることができる。
【発明の効果】
【００１０】
本発明により、レジでの決済をなくすことで、レジ決済作業に伴う人手を補うことができ、また、利用者にとってはレジで待つことなく決済が行えることで利便性が増す。
【図面の簡単な説明】
【００１１】
【図１】本発明の全体図である。
【符号の説明】
【００１２】
１  決済結果通知ランプ
２  各テーブル
３  Ｗｅｂ画面
４  決済確認表示
５  決済済確認ボタン
６  決済結果受信サーバ
【図１】
2019109804.tif 000003
(57)【要約】【課題】本発明は、レゾルバのロータと軸をローコストで製作すると共に、ロータ及び軸の精度を向上させることである。【解決手段】本発明によるレゾルバは、ステータ巻線(2)を有する輪状ステータ(1)と、前記輪状ステータ(1)の内側で回転自在に設けられたロータ(8)と、前記ロータ(8)に設けられた軸(10)と、よりなり、  前記ロータ(8)と前記軸(10)は、焼結にて一体に形成され、  前記ロータ(8)は、その軸方向(P)と直交する横断面でみて、多数の山形部(20)を有する構成である。【選択図】図１
2019109112.tif 000002
【特許請求の範囲】
【請求項１】
ステータ巻線(2)を有する輪状ステータ(1)と、前記輪状ステータ(1)の内側で回転自在に設けられたロータ(8)と、前記ロータ(8)に設けられた軸(10)と、よりなり、
前記ロータ(8)と前記軸(10)は、焼結にて一体に形成されていることを特徴とするレゾルバ。
【請求項２】
前記ロータ(8)は、その軸方向(P)と直交する横断面でみて、多数の山形部(20)を有することを特徴とする請求項１記載のレゾルバ。
【発明の詳細な説明】
【技術分野】
【０００１】
本発明は、レゾルバに関し、特に、ロータと軸を焼結によって一体形成することにより、ロータと軸の一体結合時の形状の精度を向上させるための新規な改良に関する。
【背景技術】
【０００２】
従来、用いられていたこの種のレゾルバとしては、例えば、図３に示される特許文献１に開示された「レゾルバの端子ピン構造」を挙げることができる。
すなわち、図３に示す特許文献１に開示された構成においては、ステータ巻線２を有する輪状ステータ１の内側には、電磁鋼板からなる多数のロータ片を転積させつつ積層させた構成よりなるロータ８を回転自在に配設するためのロータ用孔１Ａが設けられている。
【０００３】
前記ロータ８の軸孔８Ａが形成され、この軸孔８Ａ内には、軸１０が嵌入されて一体に設けられている。
前記輪状ステータ１の内面に突出して設けられた突出磁極（図示せず）には、周知の第１、第２輪状絶縁カバー１１,１２を介して、ステータ巻線２が巻回されている。
【０００４】
前記第１輪状絶縁カバー１１の一部には、一体成形によって複数の端子ピン４ａを有する端子ピン保持部５が一体に成形されており、前記第２輪状絶縁カバー１２の延設部１３には、前記輪状ステータ１の一部を保持することができるように構成されている。
前記端子ピン４ａに接続されたケーブル７は、コネクタ６に接続され、前記ステータ巻線２に対する信号の伝達等を行っている。
【先行技術文献】
【特許文献】
【０００５】
【特許文献１】米国特許第５，９２０，１３５号明細書
【発明の概要】
【発明が解決しようとする課題】
【０００６】
前述のレゾルバは、以上のように構成されていたため、次のような課題が存在していた。
すなわち、軸１０とロータ８とを結合させる場合、ロータ８の軸孔８Ａ内に軸１０を嵌入させて一体接続化していた。
また、積層されたロータ８の軸心に形成された軸孔８Ａは、拡大して見ると、表面に凹凸が形成されていたため、軸孔８Ａ内への挿入を円滑化するのが難しく、軸１０に対するロータ８の面の直角度の誤差が大であった。
また、ロータの積層後の各端面の平行度を得ることが困難であった。
【０００７】
本発明は、以上のような課題を解決するためになされたもので、特に、ロータと軸を焼結によって一体形成することにより、ロータと軸の結合精度を向上させるようにしたレゾルバを提供することを目的とする。
【課題を解決するための手段】
【０００８】
本発明によるレゾルバは、ステータ巻線を有する輪状ステータと、前記輪状ステータの内側で回転自在に設けられたロータと、前記ロータに設けられた軸と、よりなり、前記ロータと前記軸は、焼結にて一体に形成されているようにした構成であり、また、前記ロータは、その軸方向と直交する横断面でみて、多数の山形部を有する構成である。
【発明の効果】
【０００９】
本発明によるレゾルバは、以上のように構成されているため、次のような効果を得ることができる。
すなわち、ステータ巻線を有する輪状ステータと、前記輪状ステータの内側で回転自在に設けられたロータと、前記ロータに設けられた軸と、よりなり、前記ロータと前記軸は、焼結にて一体に形成されていることにより、金型の精度が基準以上であれば、軸とロータの面の直角度は、極めて正確に出すことができ、回転時のロータの水平度が正確で、レゾルバの各磁極に対する対応も均等となり、高精度の回転検出を得ることができる。
また、前記ロータは、その軸方向と直交する横断面でみて、多数の山形部を有することができるため、軸倍角を任意とし、ロータの１回転で冗長系の多回転を得ることができる。
【図面の簡単な説明】
【００１０】
【図１】本発明によるレゾルバを示す縦断面図である。
【図２】図１のレゾルバの右側面図である。
【図３】従来のコネクタ付のレゾルバを示す断面図である。
【発明を実施するための形態】
【００１１】
本発明によるレゾルバは、ロータと軸を焼結によって一体形成することにより、ロータと軸の結合精度を向上させることである。
【実施例】
【００１２】
以下、図面と共に本発明によるレゾルバの好適な実施の形態について説明する。
尚、従来例と同一又は同等部分には、同一符号を用いて説明する。
図１において、符号１で示されるものは、その内面に所定角度間隔で内方に突出する多数の磁極１Ｂを有する輪状ステータ１であり、前記輪状ステータ１の第１、第２端面１Ｃ,１Ｄには、周知の励磁巻線と出力巻線とからなるステータ巻線２が、第１、第２輪状絶縁カバー１１、１２を介して巻回されている。
【００１３】
前記輪状ステータ１の内側には、通常、装置側に設けられた一対の軸受（図示せず）を介して回転自在にロータ８を有する軸１０が設けられている。
前記ロータ８と軸１０とは、焼結によって一体に形成されている。
すなわち、図示しない焼結用金型内に、前記ロータ８及び軸１０用の分量の焼結金属用材料を供給した後に、前記金型を型締めして加熱、その後、前記金型を冷却すると、前記金型のキャビティよりも小容量化した、図１で示される軸１０一体型のロータ８を得ることができる。
【００１４】
前記ロータ８の外周には、前記ロータ８の軸方向Ｐと直交する横断面でみて円弧状をなす合計８個の山形部２０が連続して形成されており、軸倍角８Ｘの回転角度検出を行うことができるように構成されている。
【産業上の利用可能性】
【００１５】
本発明によるレゾルバは、ロータと軸を焼結によって一体形成することにより、軸とロータの面の直角度を極めて正確に出すことができるため、従来の軸とロータの嵌め込み式に比べると、レゾルバの検出精度を大幅に向上させることができる。
【符号の説明】
【００１６】
１    輪状ステータ
１Ｂ    突出磁極
１Ｃ    第１端面
１Ｄ    第２端面
２    ステータ巻線
７    リード線
８    ロータ
８Ａ    軸孔
１０    軸
１１    第１輪状絶縁カバー
１２    第２輪状絶縁カバー
２０    山形部
Ｐ    軸方向
【図１】
2019109112.tif 000003
【図２】
2019109112.tif 000004
【図３】
2019109112.tif 000005